(57)【要約】【課題】  撮影画像に対して行う処理を簡易に選択できるようにする技術を提案する。【解決手段】  処理対象の撮影画像が画像入力部１１に入力されると、当該撮影画像における被写体の歪みが歪み検知部１２により検出され、歪み／処理内容関係保持部１６の設定内容および前記検出された歪みに基づいて、撮影画像に対して行う処理が処理決定部１７により決定される。また、撮影画像に対して、被写体の歪み量に応じた歪み補正が歪み補正部１３により行われて、被写体の領域部分を正対させた画像へと加工された後に、画像処理部１４により、前記加工後（歪み補正後）の撮影画像から被写体の領域部分が抽出され、この被写体の領域部分の画像に対して、処理決定部１７にて決定された処理が行われ、その結果の画像が保存部１５へ出力されて記憶（保存）される。【選択図】  図１
2011009908.tif 000002
【特許請求の範囲】
【請求項１】
撮影画像における被写体の歪みとその歪みが検出された撮影画像に対して行う処理との対応関係を設定する設定手段と、
処理対象の撮影画像に対して、撮影画像における被写体の歪みに応じた歪み補正と当該歪み及び前記対応関係に基づき定まる処理を行う処理手段と、
を備えたことを特徴とする画像処理装置。
【請求項２】
撮影画像における被写体の歪みとその歪みが検出された撮影画像に対して行う処理との対応関係を設定する設定手段と、
対象領域を撮影する撮影手段と、
前記撮影手段による撮影の対象領域を表示する表示部に、前記設定された対応関係を表示させる表示手段と、
前記撮影手段により撮影された撮影画像に対して、当該撮影画像における被写体の歪みに応じた歪み補正と当該歪み及び前記対応関係に基づき定まる処理を行う処理手段と、
を備えたことを特徴とする撮影装置。
【請求項３】
撮影画像における被写体の歪みとその歪みが検出された撮影画像に対して行う処理との対応関係を設定する設定手段と、
対象領域を撮影する撮影手段と、
前記撮影手段による撮影の対象領域を表示する表示部に、前記対象領域における被写体の歪み及び前記対応関係に基づき定まる処理の情報を表示させる表示手段と、
前記撮影手段により撮影された撮影画像に対して、当該撮影画像における被写体の歪みに応じた歪み補正と当該歪み及び前記対応関係に基づき定まる処理を行う処理手段と、
を備えたことを特徴とする撮影装置。
【請求項４】
撮影画像における被写体の歪みとその歪みが検出された撮影画像に対して行う処理との対応関係を設定する設定手段と、
対象領域を撮影する撮影手段と、
前記撮影手段による撮影の対象領域を表示する表示部に、前記設定された対応関係を表示させる表示手段と、
撮影画像における被写体の歪みに応じた歪み補正と当該歪み及び前記対応関係に基づき定まる処理を当該撮影画像に対して行う画像処理装置に、前記撮影手段により撮影された撮影画像を出力する出力手段と、
を備えたことを特徴とする撮影装置。
【請求項５】
撮影画像における被写体の歪みとその歪みが検出された撮影画像に対して行う処理との対応関係を設定する設定手段と、
対象領域を撮影する撮影手段と、
撮影画像における被写体の歪みに応じた歪み補正と当該歪み及び前記対応関係に基づき定まる処理を当該撮影画像に対して行う画像処理装置に、前記撮影手段により撮影された撮影画像を出力する出力手段と、
前記出力手段による出力対象の撮影画像における被写体の歪み及び前記対応関係に基づいて定まる、前記出力手段による出力対象の撮影画像に対して前記画像処理装置により行われる処理の情報を、前記出力手段による出力対象の撮影画像を表示する表示部に表示させる表示手段と、
を備えたことを特徴とする撮影装置。
【請求項６】
撮影装置と画像処理装置とを含み、
前記撮影装置は、
撮影画像における被写体の歪みとその歪みが検出された撮影画像に対して行う処理との対応関係を設定する設定手段と、
対象領域を撮影する撮影手段と、
前記撮影手段による撮影の対象領域を表示する表示部に、前記設定された対応関係を表示させる表示手段と、
前記画像処理装置に前記撮影手段により撮影された撮影画像及び前記対応関係を出力する出力手段と、を備え、
前記画像処理装置は、前記撮影装置が出力した撮影画像における被写体の歪みに応じた歪み補正と当該歪み及び前記撮影装置が出力した対応関係に基づき定まる処理を当該撮影画像に対して行う、
ことを特徴とする撮影システム。
【請求項７】
撮影装置と画像処理装置とを含み、
前記撮影装置は、
撮影画像における被写体の歪みとその歪みが検出された撮影画像に対して行う処理との対応関係を設定する設定手段と、
対象領域を撮影する撮影手段と、
前記撮影手段による撮影の対象領域を表示する表示部に、出力手段による出力対象の撮影画像に対して前記画像処理装置により行われる処理を表示させる表示手段と、
前記画像処理装置に前記撮影手段により撮影された撮影画像及び前記対応関係を出力する出力手段と、を備え、
前記画像処理装置は、前記撮影装置が出力した撮影画像における被写体の歪みに応じた歪み補正と当該歪み及び前記撮影装置が出力した対応関係に基づき定まる処理を当該撮影画像に対して行う、
ことを特徴とする撮影システム。
【請求項８】
処理対象の撮影画像における被写体の歪みを検出する検出機能と、
撮影画像における被写体の歪みとその歪みが検出された撮影画像に対して行う処理との対応関係が設定された関係情報および前記検出機能により検出された歪みに基づいて、前記処理対象の撮影画像に対して行う処理を決定する決定機能と、
前記処理対象の撮影画像に対して、前記検出機能により検出された歪みに応じた歪み補正と前記決定機能により決定された処理を行う処理機能と、
をコンピュータに実現させるためのプログラム。
【発明の詳細な説明】
【技術分野】
【０００１】
本発明は、画像処理装置、撮影装置およびプログラムに関する。
【背景技術】
【０００２】
電子化して保管する対象の紙文書を画像読み取り（スキャン）し、その読み取り画像を電子文書として記憶する文書管理システムが実現されている。
例えば特許文献１には、スキャンサーバに原稿のスキャン条件、文書の登録先、補正の有無、メール通知の有無等を設定したジョブテンプレートを登録し、ネットワークスキャナがジョブテンプレートを使用して原稿のスキャンを行い、スキャンサーバを介してＷＷＷサーバに転送し、ＷＷＷサーバがジョブテンプレートに基づいて文書の補正、登録、メールによる登録通知等を行う発明が開示されている。
【０００３】
また、被写体の光学像を撮像素子により画像信号に変換して撮影画像を得る撮影装置（以下、デジタルカメラという）により得た画像を文書として保存すること、例えば、紙文書やホワイトボードなどをデジタルカメラにより撮影し、その撮影画像から文書部分を切り出して電子文書として記録することが行われている。
【０００４】
例えば、特許文献２には、画像を撮像し電気信号に変換する撮像手段と、上記撮像手段により撮像された画像データの歪みを検出する歪み検出手段と、上記歪み検出手段により検出された歪みの情報に基づいて上記画像データの歪みを補正する歪み補正手段と、を具備する画像取り込み装置の発明が提案されている。
【０００５】
また、撮影画像に対して処理を行う先行技術として、例えば、特許文献３には、撮影対象が置かれる台座の一部に回転指示用のマークを予め設けておき、当該台座に撮影対象を置いて撮影した画像におけるマークの有無に応じて、その撮影画像に対して回転処理を行うか否かを判断する発明が開示されており、例えば、特許文献４には、撮影対象が置かれる台座の一部に互いに異なる任意の分類を示す複数の分類マークを予め設けておき、当該台座に撮影対象を置いて撮影した画像において隠れている分類マークに基づいて、その撮影画像を分類する発明が開示されている。
【先行技術文献】
【特許文献】
【０００６】
【特許文献１】特開２００１−２１７９８０号公報
【特許文献２】特開平０５−３０３６３４号公報
【特許文献３】特開２００６−２３７７５８号公報
【特許文献４】特開２００６−２３７９３７号公報
【発明の概要】
【発明が解決しようとする課題】
【０００７】
本発明は、被写体を撮影する際に被写体の歪ませ方を撮影者が選択するだけで、その撮影画像に対して行う処理を選択できるようにする技術を提案することを目的とする。
【課題を解決するための手段】
【０００８】
第１の本発明は、撮影画像における被写体の歪みとその歪みが検出された撮影画像に対して行う処理との対応関係を設定する設定手段と、処理対象の撮影画像に対して、撮影画像における被写体の歪みに応じた歪み補正と当該歪み及び前記対応関係に基づき定まる処理を行う処理手段と、を備えたことを特徴とする画像処理装置である。
【０００９】
第２の本発明は、撮影画像における被写体の歪みとその歪みが検出された撮影画像に対して行う処理との対応関係を設定する設定手段と、対象領域を撮影する撮影手段と、前記撮影手段による撮影の対象領域を表示する表示部に、前記設定された対応関係を表示させる表示手段と、前記撮影手段により撮影された撮影画像に対して、当該撮影画像における被写体の歪みに応じた歪み補正と当該歪み及び前記対応関係に基づき定まる処理を行う処理手段と、を備えたことを特徴とする撮影装置である。
【００１０】
第３の本発明は、撮影画像における被写体の歪みとその歪みが検出された撮影画像に対して行う処理との対応関係を設定する設定手段と、対象領域を撮影する撮影手段と、前記撮影手段による撮影の対象領域を表示する表示部に、前記対象領域における被写体の歪み及び前記対応関係に基づき定まる処理の情報を表示させる表示手段と、前記撮影手段により撮影された撮影画像に対して、当該撮影画像における被写体の歪みに応じた歪み補正と当該歪み及び前記対応関係に基づき定まる処理を行う処理手段と、を備えたことを特徴とする撮影装置である。
【００１１】
第４の本発明は、撮影画像における被写体の歪みとその歪みが検出された撮影画像に対して行う処理との対応関係を設定する設定手段と、対象領域を撮影する撮影手段と、前記撮影手段による撮影の対象領域を表示する表示部に、前記設定された対応関係を表示させる表示手段と、撮影画像における被写体の歪みに応じた歪み補正と当該歪み及び前記対応関係に基づき定まる処理を当該撮影画像に対して行う画像処理装置に、前記撮影手段により撮影された撮影画像を出力する出力手段と、を備えたことを特徴とする撮影装置である。
【００１２】
第５の本発明は、撮影画像における被写体の歪みとその歪みが検出された撮影画像に対して行う処理との対応関係を設定する設定手段と、対象領域を撮影する撮影手段と、撮影画像における被写体の歪みに応じた歪み補正と当該歪み及び前記対応関係に基づき定まる処理を当該撮影画像に対して行う画像処理装置に、前記撮影手段により撮影された撮影画像を出力する出力手段と、前記出力手段による出力対象の撮影画像における被写体の歪み及び前記対応関係に基づいて定まる、前記出力手段による出力対象の撮影画像に対して前記画像処理装置により行われる処理の情報を、前記出力手段による出力対象の撮影画像を表示する表示部に表示させる表示手段と、を備えたことを特徴とする撮影装置である。
【００１３】
第６の本発明は、撮影装置と画像処理装置とを含み、前記撮影装置は、撮影画像における被写体の歪みとその歪みが検出された撮影画像に対して行う処理との対応関係を設定する設定手段と、対象領域を撮影する撮影手段と、前記撮影手段による撮影の対象領域を表示する表示部に、前記設定された対応関係を表示させる表示手段と、前記画像処理装置に前記撮影手段により撮影された撮影画像及び前記対応関係を出力する出力手段と、を備え、前記画像処理装置は、前記撮影装置が出力した撮影画像における被写体の歪みに応じた歪み補正と当該歪み及び前記撮影装置が出力した対応関係に基づき定まる処理を当該撮影画像に対して行う、ことを特徴とする撮影システムである。
【００１４】
第７の本発明は、撮影装置と画像処理装置とを含み、前記撮影装置は、撮影画像における被写体の歪みとその歪みが検出された撮影画像に対して行う処理との対応関係を設定する設定手段と、対象領域を撮影する撮影手段と、前記撮影手段による撮影の対象領域を表示する表示部に、出力手段による出力対象の撮影画像に対して前記画像処理装置により行われる処理を表示させる表示手段と、前記画像処理装置に前記撮影手段により撮影された撮影画像及び前記対応関係を出力する出力手段と、を備え、前記画像処理装置は、前記撮影装置が出力した撮影画像における被写体の歪みに応じた歪み補正と当該歪み及び前記撮影装置が出力した対応関係に基づき定まる処理を当該撮影画像に対して行う、ことを特徴とする撮影システムである。
【００１５】
第８の本発明は、処理対象の撮影画像における被写体の歪みを検出する検出機能と、撮影画像における被写体の歪みとその歪みが検出された撮影画像に対して行う処理との対応関係が設定された関係情報および前記検出機能により検出された歪みに基づいて、前記処理対象の撮影画像に対して行う処理を決定する決定機能と、前記処理対象の撮影画像に対して、前記検出機能により検出された歪みに応じた歪み補正と前記決定機能により決定された処理を行う処理機能と、をコンピュータに実現させるためのプログラムである。
【発明の効果】
【００１６】
第１の本発明によると、被写体を撮影する際に被写体の歪ませ方を撮影者が調整するだけで、その撮影画像に対する処理を選択することができるようになる。
【００１７】
第２の本発明によると、撮影装置による画像撮影の際に、撮影画像に対する処理とその処理を行うために要求される被写体の歪みとの関係を利用者に知らしめることができる。
【００１８】
第３の本発明によると、撮影装置による画像撮影の際に、その撮影により得られる撮影画像に対して行われる処理を利用者に知らしめることができる。
【００１９】
第４、６の本発明によると、撮影装置による画像撮影の際に、撮影画像に対する処理とその処理を行うために要求される被写体の歪みとの関係を利用者に知らしめることができる。
【００２０】
第５、７の本発明によると、撮影装置から画像処理装置に処理対象の撮影画像を出力する前に、その出力対象の撮影画像に対して行われる処理を利用者に知らしめることができる。
【００２１】
第８の本発明によると、被写体を撮影する際に被写体の歪ませ方を撮影者が調整するだけで、その撮影画像に対する処理を選択することができるようになる。
【図面の簡単な説明】
【００２２】
【図１】本発明の一実施形態に係る画像処理装置の機能ブロックを例示する図である。
【図２】本発明の一実施形態に係る回転角度／処理内容関係テーブルを例示する図である。
【図３】本発明の一実施形態に係る台形歪み／処理内容関係テーブルを例示する図である。
【図４】本発明の一実施形態に係る撮影画像に対する処理を例示する図である。
【図５】本発明の一実施形態に係る画像処理装置のハードウェア構成を例示する図である。
【図６】本発明の第１実施例に係るデジタルカメラの機能ブロックを例示する図である。
【図７】本発明の第２実施例に係るデジタルカメラ及びサーバ装置の機能ブロックを例示する図である。
【発明を実施するための形態】
【００２３】
本発明の一実施形態について、図面を参照して説明する。
図１には、本発明の一実施形態に係る画像処理装置の機能ブロックを例示してある。
本例の画像処理装置は、画像入力部１１、歪み検知部１２、歪み補正部１３、画像処理部１４、保存部１５、歪み／処理内容関係保持部１６、処理決定部１７等の機能部を有している。
【００２４】
画像入力部１１は、各種文書を被写体として撮影した撮影画像の入力を処理対象として受け付ける。なお、画像処理装置が撮影手段を有する場合には、当該撮影手段による撮影画像を受け付け、画像処理装置が撮影手段を有しない場合には、他の撮影装置による撮影画像を当該撮影装置との有線又は無線通信により受け付け、或いはメモリーカード等の携帯型記憶媒体を介して受け付ける。
ここで、被写体の文書としては、例えば、業務文書、本、雑誌、新聞、領収書、各種申請フォーム、ホワイトボード、イーゼルパッド、付箋、手書きメモ、名刺等の種々のものを対象としてもよい。
【００２５】
歪み検知部１２は、画像入力部１１により受け付けられた撮影画像における被写体の歪みを検出する。すなわち、例えば、画像平面における被写体の回転角度（基準方向に対する傾き）の検出や、被写体に生じた台形歪み（例えば、矩形をなす被写体の上又は下が短く台形状に歪んだ状態）の歪み方向及び歪みの程度の検出などを行う。
【００２６】
歪み補正部１３は、画像入力部１１により受け付けられた撮影画像に対し、歪み検知部１２により検出された歪みに応じた歪み補正を行う。すなわち、例えば、歪み検知部１２により検出された被写体の回転角度に応じた回転歪み補正や、歪み検知部１２により検出された被写体の台形歪みの方向及びその程度に応じた台形歪み補正などを撮影画像に対して行って、被写体の領域部分を正対させた画像へと加工する。
【００２７】
歪み／処理内容関係保持部１６は、撮影画像における被写体の歪みとその歪みが検出された撮影画像に対して行う処理内容との対応関係を設定する対応関係情報を記憶する。
対応関係情報の例として、図２には、画像平面における被写体の回転角度と、フルカラー／グレー／白黒２値等の保存画像の使用色（カラーモード）に関する設定との対応関係が設定された回転角度／処理内容関係テーブルを例示してあり、図３には、被写体の台形歪みの方向と、フルカラー／グレー／白黒２値等の保存画像の使用色（カラーモード）及びＪＰＥＧ／ＴＩＦＦ／ＰＤＦ等の保存画像のファイル形式に関する設定との対応関係が設定された回転角度／処理内容関係テーブルを例示してある。
【００２８】
図２の例によると、被写体の回転角度が０度の場合には、その撮影画像に対してフルカラー画像に関する処理を行うことが設定され、被写体の回転角度が４５度の場合には、その撮影画像に対して白黒画像に関する処理を行うことが設定されている。
また、図３の例によると、被写体の上側が奥へ傾いた台形歪み（上に凸）の場合には、その撮影画像に対してフルカラー画像に関する処理を行い且つＰＤＦ形式として保存することが設定され、被写体の下側が奥へ傾いた台形歪み（下に凸）の場合には、その撮影画像に対して白黒画像に関する処理を行い且つＰＤＦ形式として保存することが設定され、被写体の右側が奥へ傾いた台形歪み（右に凸）の場合には、その撮影画像に対してフルカラー画像に関する処理を行い且つＪＰＥＧ形式として保存することが設定され、被写体の左側が奥へ傾いた台形歪み（左に凸）の場合には、その撮影画像に対して白黒画像に関する処理を行い且つＴＩＦＦ形式として保存することが設定されている。
なお、上記の説明は一例に過ぎず、歪みと処理との関連付けは種々の態様とすることができ、例えば、回転角度及び台形歪みの組み合わせと処理とを関連付けする等のように、異なる種類の歪みの組み合わせと処理とを関連付けしてもよい。
以下では、歪み／処理内容関係保持部１６に、対応関係情報として、図２の回転角度／処理内容関係テーブルが記憶されている場合を例に説明する。
【００２９】
処理決定部１７は、歪み／処理内容関係保持部１６に記憶されている対応関係情報および歪み検知部１２により検出された歪みに基づいて、画像入力部１１により受け付けられた撮影画像に対して行う処理を決定する。
具体例を挙げると、例えば、検知部１２により被写体の回転角度として０度が検出された場合には、その撮影画像に対してフルカラー画像に関する処理を行うことを決定し、被写体の回転角度として４５度が検出された場合には、その撮影画像に対して白黒画像に関する処理を行うことを決定する。
なお、検出された回転角度（検出角度）と回転角度／処理内容関係テーブルに設定された回転角度（設定角度）とが厳密に一致することを要件とする必要は無く、例えば、検出角度と設定角度との誤差が予め設定された範囲（例えば±１０度）の場合には当該設定角度に関連付けられた処理を行うことを決定するようにしてもよく、或いは、検出角度に最も近い設定角度に関連付けられた処理を行うことを決定するようにしてもよい。
【００３０】
画像処理部１４は、歪み補正部１３により歪み補正された撮影画像に対し、処理決定部１７により決定された処理を行う。
具体例を挙げると、例えば、検知部１２により被写体の回転角度として０度が検出された撮像画像についてフルカラー画像に関する処理を行い、被写体の回転角度として４５度が検出された撮像画像について白黒画像に関する処理を行う。
なお、本例の画像処理部１４では、歪み補正された撮影画像から被写体の領域部分を抽出し（切り出し）、当該抽出された被写体の領域部分の画像に対して、処理決定部１７により決定された処理を行うようにしている。
【００３１】
また、本例の画像処理部１４では、ファイル形式の指定が特にない場合には、前記処理後の画像をＪＰＥＧ形式として出力するが、例えば、処理決定部１７によりファイル形式についても決定された場合には、前記処理後の画像を該当するファイル形式に変換して出力する。また、その電子文書の保存先の指定が特にない場合には、保存部１５において予め保存先に設定されているフォルダへ出力するが、例えば、処理決定部１７により保存先についても決定された場合には、保存部１５（或いは他の記憶装置）の該当フォルダへ出力して記憶（保存）させる。また、例えば、処理決定部１７により配信先についても決定された場合には、その配信先へ電子メール等により配信する。その他、処理決定部１７により決定された種々の処理を行う。
【００３２】
本例の画像処理装置による処理を、図４を参照して説明する。
例えば、図４（ａ）に例示するように、被写体Ｔを回転せずに撮影した撮影画像Ｐ１が画像入力部１１に入力されると、その画像平面における被写体Ｔの回転角度が歪み検知部１２により検出され、当該検出された回転角度（本例では０度）および歪み／処理内容関係保持部１６の設定内容（本例では図２の回転角度／処理内容関係テーブル）に基づいて、撮影画像Ｐ１に対して行う処理としてフルカラー画像に係る処理が処理決定部１７により決定される。また、撮影画像Ｐ１に対して、被写体Ｔの歪み量に応じた歪み補正（本例では、被写体の回転角度が０度で歪みがないので、実質的な処理はない）が歪み補正部１３により行われて、被写体の領域部分を正対させた画像へと加工された後に、画像処理部１４により、前記加工後（歪み補正後）の撮影画像から被写体Ｔの領域部分が抽出され、この被写体Ｔの領域部分の画像に対して、処理決定部１７にて決定されたフルカラー画像に関する処理が行われ、その結果の画像Ｐ２が出力される。
【００３３】
また、例えば、図４（ｂ）に例示するように、被写体Ｔを右に４５度回転させて撮影した撮影画像Ｐ１が画像入力部１１に入力されると、その画像平面における被写体Ｔの回転角度が歪み検知部１２により検出され、当該検出された回転角度（本例では＋４５度）および歪み／処理内容関係保持部１６の設定内容（本例では図２の回転角度／処理内容関係テーブル）に基づいて、撮影画像Ｐ１に対して行う処理として白黒画像に係る処理が処理決定部１７により決定される。また、撮影画像Ｐ１に対して、被写体Ｔの歪み量に応じた歪み補正（本例では、被写体の回転角度が右に４５度なので、撮像画像Ｐ１を左に４５度回転させる処理）が歪み補正部１３により行われて、被写体の領域部分を正対させた画像へと加工された後に、画像処理部１４により、前記加工後（歪み補正後）の撮影画像から被写体Ｔの領域部分が抽出され、この被写体Ｔの領域部分の画像に対して、処理決定部１７にて決定された白黒画像に関する処理が行われ、その結果の画像Ｐ２が出力される。
【００３４】
このように、本例の画像処理装置では、撮影画像における被写体の歪みを当該撮影画像に対して行う処理を決定するための要因として取り扱う。すなわち、撮影者が調整した被写体の撮影の仕方に応じて、その撮影画像に対する処理が選択される。
【００３５】
なお、上記の説明では、撮影画像に対し、歪み補正部１３が歪み補正を行った後に、画像処理部１４が処理決定部１７により決定された処理を行っているが、このような処理手順に限定するものではない。すなわち、例えば、撮影画像に対してフルカラー画像に関する処理を行い且つＰＤＦ形式として保存することが決定された場合において、まず、画像処理部１４が撮影画像に対して白黒画像に関する処理を行い、当該処理後の撮影画像に対して歪み補正部１３が歪み補正を行い、その後、画像処理部１４が、歪み補正後の撮影画像から被写体の領域部分を抽出し、当該領域部分の画像をＰＤＦ形式の電子文書に変換して出力する。
【００３６】
図５には、本例に係る画像処理装置を構成するコンピュータの主要なハードウェアを例示している。
本例では、各種演算処理を行うＣＰＵ３１、ＣＰＵ３１の作業領域となるＲＡＭ３２、基本的な制御プログラムを記録したＲＯＭ３３、本発明の一実施形態に係るプログラムや各種データを記憶する補助記憶装置（例えば、ＨＤＤ等の磁気ディスクや、フラッシュメモリ等の書き換え可能な不揮発性メモリなど）３４、各種情報を表示出力するための表示装置や操作者により入力操作に用いられるキーボードやマウス等の入力機器とのインターフェースである入出力Ｉ／Ｆ３５、他の装置との間で有線又は無線により通信を行うインターフェースである通信Ｉ／Ｆ３６、等のハードウェア資源を有するコンピュータにより構成されている。
そして、本発明の一実施形態に係るプログラムを補助記憶装置３４等から読み出してＲＡＭ３２に展開し、これをＣＰＵ３１により実行させることで、本発明の一実施形態に係る画像処理装置をコンピュータ上に実現している。
【００３７】
なお、１台のコンピュータにより画像処理装置を実現してもよく、各機能部を複数台のコンピュータに分散して設けて画像処理装置を実現してもよい。
また、本発明の一実施形態に係るプログラムは、例えば、当該プログラムを記憶したＣＤ−ＲＯＭ等の外部記憶媒体から読み込む形式や、通信回線等を介して受信する形式などにより、本例に係るコンピュータに設定される。
また、本例のようなソフトウェア構成により各機能部を実現する態様に限られず、それぞれの機能部を専用のハードウエアモジュールで実現するようにしてもよい。
【実施例１】
【００３８】
図６には、本発明の第１実施例に係るデジタルカメラ（画像処理装置の一例）の機能ブロックを例示してある。
本例では、被写体の光学像を撮像素子により画像信号に変換して撮影画像を得る撮影機能部２１を有するデジタルカメラが、前述した画像入力部１１、歪み検知部１２、歪み補正部１３、画像処理部１４、保存部１５、歪み／処理内容関係保持部１６、処理決定部１７等の画像処理装置に係る機能部を有している。
【００３９】
すなわち、本例のデジタルカメラでは、被写体を配置された対象領域が撮影機能部２１により撮影されると、その撮影により得られた撮影画像が処理対象として画像入力部１１に入力されて、歪み検知部１２により、撮影画像における被写体の歪みが検出され、処理決定部１７により、歪み／処理内容関係保持部１６の対応関係情報および歪みの検出値に基づいて、撮影画像に対して行う処理が決定される。また、歪み補正部１３により、歪みの検出値に応じた歪み補正が撮影画像に対して行われ、画像処理部１４により、歪み補正後の撮影画像から被写体の領域部分が抽出され、この被写体の領域部分の画像に対して、処理決定部１７にて決定された処理が行われ、その結果の画像が保存部１５へ出力されて記憶（保存）される。
【００４０】
ここで、本例のデジタルカメラには、撮影機能部２１による撮影の対象領域を表示する表示部を設けてあり、どのような画像が撮影されるかが表示される。
更に、本例のデジタルカメラには、前記表示部に、歪み／処理内容関係保持部１６の対応関係情報の設定内容を表示させる機能を有しており、撮影画像に対する処理としてどのような処理があるか、また、その処理を行うためにはどのような仕方で撮影をすればよいか（その処理を行うために要求される撮影画像における被写体の歪み）が撮影の際に表示される。
【００４１】
また、本例のデジタルカメラには、前記表示部に、現在の撮影状況により得られる撮影画像に対して行われる処理の情報を表示させる機能を有しており、撮影画像に対してどのような処理が行われるかを撮影の際に表示するようにしてある。なお、この機能を実現するために、本例のデジタルカメラでは、被写体にフォーカスを合わせた状態における予め定められたタイミングで（例えば、予め設定された時間が経過する度に）、撮影機能部２１による撮影の対象領域における被写体の歪みを歪み検知部１２により検出して処理決定部１７により処理を決定し、当該決定された処理の情報を表示部に表示させるようにしている。
【実施例２】
【００４２】
図７には、本発明の第２実施例に係るデジタルカメラ及びサーバ装置（画像処理装置の一例）の機能ブロックを例示してある。
本例では、サーバ装置が、前述した画像入力部１１、歪み検知部１２、歪み補正部１３、画像処理部１４、保存部１５、歪み／処理内容関係保持部１６、処理決定部１７等の画像処理装置に係る機能部を有しており、被写体の光学像を撮像素子により画像信号に変換して撮影画像を得る撮影機能部２１を有するデジタルカメラとの間で有線又は無線による通信を可能に構成してある。
【００４３】
すなわち、本例では、被写体を配置された対象領域がデジタルカメラの撮影機能部２１により撮影されると、その撮影により得られた撮影画像がデジタルカメラからサーバ装置へ送信される。サーバ装置では、デジタルカメラから受信した撮影画像が処理対象として画像入力部１１に入力されて、歪み検知部１２により、撮影画像における被写体の歪みが検出され、処理決定部１７により、歪み／処理内容関係保持部１６の対応関係情報および歪みの検出値に基づいて、撮影画像に対して行う処理が決定される。また、歪み補正部１３により、歪みの検出値に応じた歪み補正が撮影画像に対して行われ、画像処理部１４により、歪み補正後の撮影画像から被写体の領域部分が抽出され、この被写体の領域部分の画像に対して、処理決定部１７にて決定された処理が行われ、その結果の画像が保存部１５へ出力されて記憶（保存）される。
【００４４】
ここで、本例のデジタルカメラには、撮影機能部２１による撮影の対象領域を表示する表示部を設けてあり、どのような画像が撮影されるかを表示するようにしてある。
更に、本例のデジタルカメラには、サーバ装置における歪み／処理内容関係保持部１６の対応関係情報と同様な情報を記憶する記憶部を有すると共に、デジタルカメラの表示部に、当該記憶部の設定内容（歪み／処理内容関係保持部１６の対応関係情報と同様な情報）を表示させる機能を有しており、撮影画像に対する処理としてどのような処理があるか、また、その処理を行うためにはどのような仕方で撮影をすればよいか（その処理を行うために要求される撮影画像における被写体の歪み）を撮影の際に表示するようにしてある。なお、本例では、デジタルカメラとサーバ装置との間の通信により、デジタルカメラの記憶部とサーバ装置の歪み／処理内容関係保持部１６との記憶内容を自動的に同期させているが、例えば、歪み／処理内容関係保持部１６の対応関係情報をメモリーカード等の携帯型記憶媒体を介してデジタルカメラに入力して同期させてもよく、或いは、デジタルカメラの利用者がキーボタンや操作パネル等により手動で入力して同期させる等の他の方法を採用してもよい。
【００４５】
また、本例のデジタルカメラには、前記表示部に、サーバ装置に送信する撮影画像を選択するために送信前の撮影画像を表示させる機能を有すると共に、その撮影画像の表示において、当該撮影画像に対してサーバ装置により行われる処理の情報を表示させる機能を有しており、撮影画像に対してどのような処理が行われるかを画像送信の前に表示するようにしてある。なお、この機能を実現するために、本例のデジタルカメラには、撮影画像における被写体の歪み（或いは、撮影機能部２１による撮影の対象領域における被写体の歪み）を検出する機能や、前記記憶部の設定内容および歪みの検出値に基づいて処理を決定する機能を設けてある。また、歪み絵を検出する機能や処理を決定する機能を持たせる代わりに、例えば撮影画像の表示時に、歪み／処理内容関係保持部１６の内容を併せて表示するよう構成してもよい。
【００４６】
なお、デジタルカメラに代えて、撮影機能付き携帯電話端末等の他の撮影装置を用いるようにしてもよい。一例として、携帯電話端末による撮影画像を本発明に係る画像処理装置へ宛てた電子メールにより送信するように構成してもよい。
【符号の説明】
【００４７】
１１：画像入力部、  １２：歪み検知部、  １３：歪み補正部、  １４：画像処理部、１５：保存部、  １６：歪み／処理内容関係保持部、  １７：処理決定部
【図１】
2011009908.tif 000003
【図２】
2011009908.tif 000004
【図３】
2011009908.tif 000005
【図４】
2011009908.tif 000006
【図５】
2011009908.tif 000007
【図６】
2011009908.tif 000008
【図７】
2011009908.tif 000009